(57)【要約】      （修正有）【課題】アロマテラピー装置の技術分野に関する霧化装置を提供する。【解決手段】霧化装置は、貯液チャンバ２１を含むキャビティが設置された本体と、貯液チャンバ内に設置され、底部がキャビティの底部に連通する精油カップ４とを含み、キャビティの上部とで噴霧口５１に連通する霧化気体通路を周設形成する仕切り部３１をさらに含む。精油カップは霧化気体通路のキャビティの底部に向ける投影の位置する領域の外に位置し、あるいは、精油カップの上部に覆設される仕切りフードを含み、かつ精油カップの上部の開口がキャビティに連通し、前記仕切りフードの下端の位置する平面が精油カップの上端の位置する平面よりも低いことを保持する。仕切り部又は仕切りフードは、貯液チャンバの水が霧化される時に水蒸気が凝結して液体の水になって精油カップ内に落ちることを回避し、精油カップ内の精油の濃度が変化しないよう保証することができる。【選択図】図２
2020022949.tif 000002
【特許請求の範囲】
【請求項１】
貯液チャンバ（２１）を含むキャビティが設置された本体と、
前記貯液チャンバ（２１）の上方に設置され、前記本体の噴霧口（５１）に連通する霧化気体通路を前記キャビティの上壁と共に形成する仕切り部（３１）と、
精油を収容するために用いられ、前記貯液チャンバ（２１）内に設置され、前記仕切り部（３１）が前記貯液チャンバ（２１）に対して投影された領域の外側に位置する精油カップ（４）であって、前記精油カップ（４）の底部が前記貯液チャンバ（２１）に連通する、前記精油カップ（４）と、を含むことを特徴とする霧化装置。
【請求項２】
前記仕切り部（３１）は、前記キャビティの上壁から下方に延びて形成されたバッフル板であって、前記バッフル板の下側で開口し前記バッフル板の周囲が閉じられる前記バッフル板とされ、前記バッフル板の底端が位置する平面は、前記精油カップ（４）の上端が位置する平面の下側に位置することを特徴とする請求項１に記載の霧化装置。
【請求項３】
前記精油カップ（４）は、精油カップ本体とラッパ状の精油注入口とを含み、前記精油カップ本体は、前記ラッパ状の精油注入口の断面積の小さい方の端部に接続されることを特徴とする請求項１に記載の霧化装置。
【請求項４】
前記精油カップ本体の断面積は一定であることを特徴とする請求項３に記載の霧化装置。
【請求項５】
前記精油カップ（４）は、前記本体と一体成形されるか、又は、前記本体と別体に設置されることを特徴とする請求項１に記載の霧化装置。
【請求項６】
前記本体は、
下部ケース（１）と、
槽体（２）であって、前記貯液チャンバ（２１）が前記槽体（２）の側壁で囲まれた内部空間であり、前記槽体（２）が前記下部ケース（１）に設置され、前記精油カップ（４）を固定するための固定装置が前記槽体（２）の中に設置され、前記固定装置が、前記仕切り部（３１）が槽体（２）に対して投影された領域の外側に位置する、前記槽体と、
前記槽体（２）に取り外し可能に接続され、前記槽体（２）との間に前記キャビティが形成される上部カバー（３）とを含むことを特徴とする請求項１〜５のいずれか１項に記載の霧化装置。
【請求項７】
前記固定装置は、前記槽体（２）の底板に設置されて、前記精油カップ（４）の形状に適合する形状を有する固定ベース（２３）であり、前記固定ベース（２３）の内側壁には、前記精油カップ（４）の底端と前記槽体（２）の底板とが所定距離で離間しているように保持するための第１の係止ブロック（２３１）が設置され、前記固定ベース（２３）は、前記精油カップ（４）の底部が前記槽体（２）に連通するよう維持され、或いは、
前記固定装置は、前記槽体（２）の側壁に設置されて、前記精油カップ（４）の形状に適合するジョーを有する固定クランプであることを特徴とする請求項６に記載の霧化装置。
【請求項８】
前記槽体（２）の底板の外側面に複数の第１の係合部が設置され、前記下部ケース（１）内の前記第１の係合部に対応する位置に前記第１の係合部の構造に適合する第２の係合部がそれぞれ設置され、前記第１の係合部と前記第２の係合部とを係合させることにより前記槽体（２）が前記下部ケース（１）に固定されることを特徴とする請求項６に記載の霧化装置。
【請求項９】
前記槽体（２）の底板に貫通孔（２４）が設置され、前記貫通孔（２４）は、前記噴霧口（５１）が前記槽体（２）の底板に対して投影された領域内に位置し、前記貫通孔（２４）内に霧化シートが設置され、
前記霧化装置はさらに、前記霧化シートの中心と同軸の上端に設置されて前記仕切り部（３１）の内側に位置する消音機構（６）を含むことを特徴とする請求項６に記載の霧化装置。
【請求項１０】
貯液チャンバ（２１）を含むキャビティが設置された本体と、
精油を収容するために用いられ、前記貯液チャンバ（２１）内に設置され、底部が前記貯液チャンバ（２１）に連通する精油カップ（４）と、
前記精油カップ（４）の上部の開口が前記キャビティに連通することを保持するように前記精油カップ（４）の上部を覆っている仕切りフード（３６）であって、前記仕切りフード（３６）の下端の位置する平面が前記精油カップ（４）の上端の位置する平面よりも低い仕切りフード（３６）と、を含むことを特徴とする霧化装置。
【発明の詳細な説明】
【技術分野】
【０００１】
本発明は、アロマテラピー装置の技術分野に関し、特に霧化装置に関する。
【背景技術】
【０００２】
アロマテラピー機は、アロマテラピー装置であり、一般的に超音波振動などの高周波振動方式を利用し、精油を混合した水を霧化した後に空気中に放出することにより、空気に香りを充満させる。従来のアロマテラピー機は、一般的に精油滴下方式で精油を水に一気に添加するが、このような供給方式では、アロマテラピー機により放出される気体の香りの濃度がますます薄くなり、顧客の体験が悪い。顧客の体験を向上させるために、従来技術には継続的に精油を供給する方式、すなわちアロマテラピー機内に精油を収容する精油カップを設置し、精油カップによって水中に継続的に精油を供給することにより、香りの濃度の変動を減少させる方式がある。しかし、このような供給方式により、霧化された気体中の水滴が精油カップ内に落ち、精油の純度に影響しやすく、香りの濃度は維持しにくい。
【発明の概要】
【発明が解決しようとする課題】
【０００３】
本発明の目的は、水滴及びミストによる精油カップ内の精油の濃度に対する影響を減少させ、精油の濃度が変化しないよう保証し、水油バランスの原理を利用して香りを継続的かつ安定的に放出できる霧化装置を提供することである。
【課題を解決するための手段】
【０００４】
この目的を達成するために、本発明は以下の技術的解決手段を採用する。
【０００５】
霧化装置は、
貯液チャンバを含むキャビティが設置された本体と、
前記貯液チャンバの上方に設置され、前記キャビティの上部とで前記本体の噴霧口に連通する霧化気体通路を周設形成する仕切り部と、
精油を収容するために用いられ、前記貯液チャンバ内に設置され、前記仕切り部が前記貯液チャンバに対して投影された領域の外側に位置する精油カップであって、底部が前記貯液チャンバに連通する前記精油カップと、を含む。
【０００６】
前記仕切り部は、前記キャビティの上壁から下方に延びて形成された、下側で開口し周囲が閉じられるバッフル板であり、前記バッフル板の底端の位置する平面は、前記精油カップの上端の位置する平面の下側に位置する。
【０００７】
前記精油カップは、精油カップ本体とラッパ状の精油注入口とを含み、前記精油カップ本体は、前記ラッパ状の精油注入口の断面積の小さい一端に接続される。
【０００８】
前記精油カップ本体の断面積が一定である。
【０００９】
前記精油カップは前記本体と一体成形されるか又は前記精油カップは前記本体と別体に設置される。
【００１０】
前記本体は、
下部ケースと、
槽体であって、前記貯液チャンバが前記槽体の側壁で囲まれた内部空間であり、前記槽体が前記下部ケースに設置され、前記精油カップを固定するための固定装置が中に設置され、前記固定装置が、前記仕切り部が槽体に対して投影された領域の外側に位置する前記槽体と、
前記槽体に取り外し可能に接続され、前記槽体との間に前記キャビティが形成される上部カバーとを含む。
【００１１】
前記固定装置は、前記槽体の底板に設置されて形状が前記精油カップの形状に適合する固定ベースであり、前記固定ベースの内側壁には前記精油カップの底端と前記槽体の底板とが所定距離離間しているよう保持するための第１の係止ブロックが設置され、前記固定ベースは、前記精油カップの底部が前記槽体に連通するよう維持し、或いは、
前記固定装置は、前記槽体の側壁に設置されてジョーが前記精油カップの形状に適合する固定クランプである。
【００１２】
前記槽体の底板の外側面に複数の第１の係合部が設置され、前記下部ケース内の前記第１の係合部に対応する位置に前記第１の係合部の構造に適合する第２の係合部がそれぞれ設置され、前記第１の係合部と前記第２の係合部とを係合させることにより前記槽体が前記下部ケースに固定される。
【００１３】
前記槽体の底板に貫通孔が設置され、前記貫通孔は、前記噴霧口が前記槽体の底板に対して投影された領域内に位置し、前記貫通孔内に霧化シートが設置される。
【００１４】
前記霧化装置はさらに、
前記霧化シートの中心と同軸の上端に設置されて前記仕切り部の内側に位置する消音機構を含む。
【００１５】
前記槽体の側壁の縁部は外側へ延びて、前記下部ケースに係止されるフランジを形成する。
【００１６】
前記本体はさらに、
上部ケースであって、前記上部カバー及び前記槽体の外に覆設され、前記上部カバー及び前記フランジの外部と前記上部ケースとの間に第１の気流通路が形成され、下部ケース及び前記フランジの内側により第２の気流通路が形成され、前記フランジには第２の気流通路と第１の気流通路とを連通させる第１の通気口が設置され、前記上部カバーには前記第１の気流通路と前記キャビティとを連通させる第２の通気口が設置され、前記下部ケースには前記第１の気流通路と外部空気とを連通させる第３の通気口が設置されるものを含む。
【００１７】
前記上部カバーの下端に、前記上部ケースの内壁に係止される係合突起が凸設され、
前記上部カバーの上端に、前記上部ケースの内壁に係止されるストッパが凸設される。
【００１８】
霧化装置は、
貯液チャンバを含むキャビティが設置された本体と、
精油を収容するために用いられ、前記貯液チャンバ内に設置され、底部が前記貯液チャンバに連通する精油カップと、
前記精油カップの上部の開口が前記キャビティに連通することを保持するように精油カップの上部に覆設され、下端の位置する平面が前記精油カップの上端の位置する平面よりも低い前記仕切りフードと、を含む。
【発明の効果】
【００１９】
有益な効果は以下のとおりである。本発明は、霧化装置を提供し、該霧化装置のキャビティ内に仕切り部が設置され、仕切り部及びキャビティの上部により霧化気体通路が形成され、貯液チャンバ内の霧化気体は、仕切り部の案内作用により、霧化気体通路から噴霧口の外へ噴出され、霧化気体通路内の霧化気体で凝結した液滴は、仕切り部の側壁に付着して、仕切り部の側壁から貯液チャンバ内に滑り落ち、精油カップは霧化気体通路がキャビティの底部に対して投影された領域の外に位置し、霧化気体中の液体が精油カップ内に落ちることを回避し、それにより精油カップ内の精油の濃度が変化しないよう保証し、かつ水油バランスの原理を利用して精油カップが精油を持続的かつ均一に供給、霧化装置が持続的かつ安定的に香りを放出することを保証できる。また、凝結した液滴は仕切り部の側壁に沿って貯液チャンバ内に滑り落ち、さらにノイズを低減し、ユーザのユーザビリティを向上させることができる。
【００２０】
本発明は、精油カップの上部に仕切りフードを覆設することにより、霧化気体がキャビティの上壁で液化する時の液体が精油カップ内に落ちることを回避し、精油カップ内の精油の濃度が変化しないよう保証し、かつ水油バランスの原理を利用して精油カップが精油を持続的かつ均一に供給し、霧化装置が持続的かつ安定的に香りを放出することを保証する霧化装置をさらに提供する。
【図面の簡単な説明】
【００２１】
【図１】本発明の実施例１に係る霧化装置の分解図である。
【図２】本発明の実施例１に係る霧化装置の断面図である。
【図３】本発明の実施例１に係る消音機構の構造概略図である。
【図４】本発明の実施例１に係る消音機構の構造概略図である。
【図５】本発明の実施例１に係る槽体の構造概略図である。
【図６】本発明の実施例１に係る槽体及び精油カップの構造概略図である。
【図７】本発明の実施例１に係る槽体と精油カップの分解図である。
【図８】本発明の実施例１に係る上部カバーの構造概略図である。
【図９】本発明の実施例１に係る上部カバーの構造概略図である。
【図１０】本発明の実施例２に係る霧化装置の断面図である。
【発明を実施するための形態】
【００２２】
本発明が解決しようとする技術的課題、採用する技術的解決手段、及び達成する技術的効果をより明確にするために、以下、図面を参照しながら具体的な実施形態により本発明の技術的解決手段をさらに説明する。
【実施例１】
【００２３】
図１及び図２に示すように、本実施例は、精油を混合した水などの液体を霧化した後に空気中に放出して、香りで環境を最適化するための霧化装置を提供する。霧化装置は、本体及び精油カップ４を含み、本体は霧化装置の本体構造を形成し、本体内には液体を収容するための貯液チャンバ２１を含むキャビティが設置され、液体は、純水、精油を混合した水などの液体であってもよく、他の液体であってもよく、ここで限定されない。精油カップ４は、貯液チャンバ２１内に設置され、精油を収容する。精油カップ４の上部と底部にいずれも開口が設置され、精油カップ４の上部の開口は、精油を添加するために用いることができ、使用時に、精油カップ４の底部の開口は、液体内に挿入される。
【００２４】
霧化装置はさらに霧化装置を含み、霧化装置は貯液チャンバ２１内の液体を霧化できる霧化シートであってもよい。本体にはキャビティに連通する噴霧口５１がさらに設置される。霧化装置が動作する時、霧化シートはキャビティ内の液体を霧化し、霧化された気体は噴霧口５１を通って外部に放出される。
【００２５】
霧化装置を使用する場合、液体の液面は精油カップ４の底部の開口を下回らないように貯液チャンバ２１内に水などの液体を予め添加する必要がある。さらに精油カップ４の上端の開口により精油カップ４内に精油を添加し、精油カップ４内の精油の液面がキャビティ内の液体の液面より高いことを確保し、精油と水との相溶性が低いため、精油は水に迅速に溶け込むことがない。貯液チャンバ２１内の液体の消費に伴い、精油と貯液チャンバ２１内の液体との接触面に一定の圧力差が存在し、圧力差の作用により、精油カップ４内の精油は、精油カップ４の下端の開口から貯液チャンバ２１内に流入し、接触面での圧力のバランスをとったら停止する。精油と水との相溶性が低く、液体圧力のバランスをとるという原理に基づいて貯液チャンバ２１内に精油を持続的に供給するという目的を達成し、水中の精油の濃度の変動を減少させることにより、霧化気体の香りを安定的に保持し、ユーザの使用体験を向上させる。
【００２６】
貯液チャンバ２１内の液体が霧化する場合、形成された霧化気体はキャビティの上壁で霧化されて凝結して液滴になって落ちるため、液体が精油カップ４内に落ちることを回避するために、霧化装置には、霧化器の貯液チャンバの水が霧化される時に水蒸気が凝結して液体の水になって精油カップ４内に落ちることにより精油の濃度に影響を与えることを防止し、精油カップ４内の精油の濃度が変化しないよう保証することができる仕切り部３１がさらに設置される。具体的には、仕切り部３１は、貯液チャンバ２１の上方に設置され、キャビティの上部とで本体の噴霧口５１に連通する霧化気体通路を周設形成し、霧化気体は霧化気体通路及び噴霧口５１から放出され、仕切り部３１は、一方では霧化器の貯液チャンバの水が霧化される時に水蒸気が凝結して液体の水になって精油カップ内に落ちることにより精油の濃度に影響を与えることを防止し、他方では霧化気体を案内する役割を果たす。
【００２７】
霧化装置が正常に動作する場合、霧化気体は、仕切り部の案内作用により、霧化気体通路を経て噴霧口５１の外に噴出され、霧化気体通路内の霧化気体で凝結した液滴は、仕切り部３１の側壁に付着し、仕切り部３１の側壁から貯液チャンバ２１内に滑り落ち、霧化気体通路内の液滴が貯液チャンバ２１内に直接的に落ちるノイズを低減し、精油カップ４は、霧化気体通路の外に位置し、かつ霧化気体通路がキャビティの底部に対して投影された領域の外に位置し、霧化気体中の液体が精油カップ４内に落ちることを回避し、さらに精油カップ４内の精油の濃度が変化しないよう保証し、水油バランスの原理を利用して持続的かつ安定的に香りを放出することができる。
【００２８】
本実施例において、仕切り部３１は、キャビティの上壁から下方に延びて形成された、下側で開口し周囲が閉じられるバッフル板であってもよく、バッフル板は、環状の筒状構造であってもよく、霧化気体は、筒状構造の仕切り部３１の案内作用により、筒状構造の内孔から噴霧口５１に流れる。霧化気体内のミスト又は水滴が精油カップ４内の精油の濃度に影響を与えることをさらに回避するために、バッフル板の底端の位置する平面は精油カップの上端の位置する平面の下側に位置してもよく、精油とミスト又は水滴とを仕切る効果がより高い。
【００２９】
仕切り部３１とキャビティの上壁とで形成された霧化気体通路内にキャビティ内の霧化気体が入り、ように、仕切り部３１の外側の気体が霧化気体通路内に入ることができるように、仕切り部３１の底端と貯液チャンバ２１内の液面との間に一定の距離を有する必要がある。好ましくは、仕切り部３１の底端と液面との間の距離は３〜５ｍｍであってもよい。
【００３０】
他の実施例において、仕切り部３１は、閉じられない板状構造、例えば平板又は円弧状板であってもよく、平板又は円弧状板はキャビティを二つの部分に仕切ることができ、平板又は円弧状板は、キャビティの上部と一部の側壁とで霧化気体通路を周設形成し、精油カップ４と霧化気体通路はそれぞれ平板又は円弧状板の両側に位置し、同様に液滴が精油カップ４内に落ちることを回避し、精油カップ４内の精油の濃度を保証することができる。
【００３１】
本実施例において、キャビティ内には消音機構６がさらに設置され、消音機構６は、前記霧化シートの中心と同軸の上端に設置されて仕切り部３１の内側に位置し、消音機構６の下端は液体内に没し、水が霧化される時に上昇していた水滴が落下して水面に衝突する音を低減し、消音機構６は、落ちた水を案内する役割を果たしてノイズを低減する。図２に示すように、キャビティの上部には、筒状構造でありかつ仕切り部３１内に設置されたノイズ低減ブラケット３４が凸設され、ノイズ低減ブラケット３４は、上端が噴霧口５１に対向して、下端が霧化シートに対向するように設置される。消音機構６の上端はノイズ低減ブラケット３４内に係止される。
【００３２】
図３及び図４に示すように、消音機構６は、中空のフード構造であり、上端開口が大きく下端開口が小さいフード本体と、フード本体に接続されたフードカバーとを含み、フード本体の周面に、軸方向に沿って延びている複数本のスリット６２が設置され、フードカバーは、円弧状構造であり、複数の霧化気体孔６１が設置されている。霧化装置の動作過程において、霧化シートにより生じられた霧化気体はスリット６２を通って消音機構６内に入り、霧化気体孔６１を通って放出され、霧化気体中の液体は、フードカバーと接触した後に水滴になって、フードカバー及びフード本体の内壁に沿って滑り落ち、水滴が高い所から水面に落ちるノイズを効果的に除去し、ノイズ低減作用を果たし、ユーザの使用体験を向上させることができる。
【００３３】
本実施例において、消音機構６は、さらに霧化気体を案内する役割を果たすことができ、霧化気体を案内して消音機構６に通過させた後、噴霧口５１から放出する。また、仕切り部３１を設置することにより、仕切り部３１内に位置する霧化気体が上向きに移動して仕切り部３１に接触した後、霧化気体中の液体は凝集して仕切り部３１に沿って水中に滑り落ち、消音機構６と協働して２回目に消音しノイズを低減する役割を果たし、霧化装置のノイズをさらに低減し、ユーザの使用体験を向上させる。
【００３４】
本実施例において、図１及び図２に示すように、本体は、下部ケース１、槽体２及び上部カバー３を含む。貯液チャンバ２１は、槽体２の側壁で囲まれた内部空間であり、槽体２は下部ケース１に取り外し可能に設置され、槽体２の底部と下部ケース１との間に電気部品７を収容する取り付け空間が形成される。上部カバー３は槽体２に取り外し可能に接続され、上部カバー３と槽体２との間にキャビティが形成される。
【００３５】
本実施例において、槽体２と下部ケース１を取り外し可能に接続するように設置することは、従来技術において槽体２と下部ケース１を一体構造として設置することに比べては、槽体２を洗浄する必要がある場合、槽体２を下部ケース１から取り外し、単独で洗浄し、水が下部ケース１と槽体２との間の電気部品７に接触することを回避し、電気部品７の安全を保証し、槽体２を便利に洗浄し、霧化装置の故障率を低減することができる。
【００３６】
取り外しやすいように、槽体２と下部ケース１は、係止という方式で固定することができる。具体的には、槽体２の底板の外側面には複数の第１の係合部が設置され、下部ケース１内の第１の係合部に対応する位置には第１の係合部の構造に適合する第２の係合部がそれぞれ設置され、第１の係合部と第２の係合部とを係合させれば槽体２を下部ケース１に固定することができる。第１の係合部が円柱であり、対応する第２の係合部が中空の柱体であり、円柱が柱体の内孔内に挿入されて槽体２と下部ケース１が固定されるとしてもよい。他の実施例において、第１の係合部は中空の本体であり、それに対応して、第２の係合部は円柱であるとしても、槽体２と下部ケース１の固定を実現することができる。
【００３７】
図２、図５〜図７に示すように、槽体２の側壁の縁部は外側へ延びてフランジ２２を形成する。槽体２と下部ケース１の固定効果を向上させるために、フランジ２２の端部に環状の凸リブが設置され、下部ケース１の側辺の端面に係止溝が対応して設置されてもよく、凸リブと係止溝との嵌合で槽体２と下部ケース１を固定する強度を向上させることができる。他の実施例において、フランジ２２に係止溝が設置され、それに対応して、下部ケース１に凸リブが設置されてもよい。
【００３８】
霧化シートにより生じられた霧化気体は霧化気体通路内に直接的に入りやすいように、槽体２の底板に貫通孔２４が設置され、貫通孔２４が、噴霧口５１が槽体２の底板に対して投影された領域内に位置し、貫通孔２４に霧化シートが設置される。
【００３９】
本実施例において、精油カップ４は、本体とラッパ状の精油注入口とを含み、本体がラッパ状の精油注入口の断面積の小さい一端に接続され、ラッパ状の精油注入口の設置により、ユーザが精油カップ４内に精油を滴下しやすい。装入された精油の容量を識別しやすいように、精油カップ４にさらに目盛線を設置し、最大目盛を上端、例えばラッパ状の精油注入口と精油カップ本体との接続部に設置してもよい。好ましくは、精油カップ４は、他の形状、例えば立方体管、円錐形管などであってもよい。
【００４０】
本実施例において、精油カップ本体の断面積が上下に一致し、精油カップ４から貯液チャンバ２１内に添加する精油の量が変化しないよう保証し、霧化装置による香りの濃度の安定を保持することに役立つことができる。
【００４１】
好ましくは、精油カップ４は、本体と一体成形されてもよく、本体と別体に設置されてもよい。精油カップ４が本体と一体成形される場合、精油カップ４内に精油を添加しやすいために、精油カップ４は槽体２と一体に設置されてもよく、精油カップ４の底端に油吐出孔が開設されることにより、精油カップ４内の精油は油吐出孔により貯液チャンバ２１内に添加される。精油カップ４内に残留する精油を減少させるために、油吐出孔は、精油カップ４の底部の精油が貯液チャンバ２１内にスムーズに入ることができるように、精油カップ４の側壁の底部に沿って上方に延びるように設置してもよい。精油カップ４は槽体２と一体成形され、精油カップ４を単独で設置する必要がなく、より使用しやすい。
【００４２】
本実施例において、精油カップ４は、本体と別体に設置される。具体的には、貯液チャンバ２１内に、精油カップ４を固定するための、仕切り部３１が槽体に対して投影された領域の外側に位置する固定装置がさらに設置される。図６及び図７に示すように、固定装置は、槽体２の底板に設置され、形状が精油カップ４の形状に適合する固定ベース２３である。固定ベース２３は、半円柱状に設置され、精油カップ４が固定ベース２３に固定された後に精油カップ４の底部がキャビティに連通することを保証できる。他の実施例において、固定ベース２３は、精油カップ４に嵌合する、底部に切り欠きが設置された柱状構造であってもよく、精油カップ４の底部がキャビティに連通することを保証すればよい。
【００４３】
固定ベース２３は、貯液チャンバ２１の側壁に設置され、精油カップ４が貯液チャンバ２１の中間位置に位置する霧化シートの霧化効果に影響を与えることを回避し、精油カップ４は、貯液チャンバ２１の側部に設置され、ユーザが精油カップ４の位置の反対側で精油を添加する場合、ユーザの視野が広く、視線は精油カップ４の目盛線と実質的に水平に保持でき、精油の添加量がより正確である。また、固定ベース２３は、槽体２の側壁に設置され、半円柱状であり、精油カップ４を取り外した後、槽体２内に遮蔽される死角位置が存在せず、洗浄しやすい。精油カップ４が固定ベース２３に取り付けられた後、精油カップ４の底部と貯液チャンバ２１の底面とが一定の距離（例えば４〜５ｍｍ）を保持することを保証するために、固定ベース２３の内側壁の底部には一定の高さを有する第１の係止ブロック２３１がさらに設置され、精油カップ４を取り付けると、精油カップ４の底部が第１の係止ブロック２３１に当接することにより、精油カップ４の底端と貯液チャンバ２１の底板とが所定距離離間しているよう保証し、精油カップ４の底部は槽体２に連通する。
【００４４】
他の実施例において、固定装置は、槽体２の側壁に設置されてジョーが精油カップ４の形状に適合する固定クランプであってもよい。固定クランプを使用して精油カップ４を固定する場合、ジョーと精油カップ４との嵌合位置を調整することにより、精油カップ４の底部と槽体２の底板とが所定距離で離間するよう保証することができる。
【００４５】
精油の添加量と貯液チャンバ２１内に収容された水量を適合に保証するために、貯液チャンバ２１内に、目盛が設置された水位ボス２５がさらに設置されてもよく、水及び精油を添加する場合に対応する目盛により添加量を正確に保証することができる。
【００４６】
本実施例において、本体は上部ケース５をさらに含み、上部ケース５は、下部ケース１とで霧化装置のケースを構成し、上部カバー３及び槽体２の外に覆設される。上部ケース５は上部カバー３に取り外し可能に接続され、水又は精油を添加する必要がある場合、上部ケース５を上部カバー３と共に取り外す。具体的には、図２、図８〜図９に示すように、上部カバー３の上部に連通孔が設置され、上部ケース５の連通孔に対応する位置に噴霧口５１が設置される。上部カバー３の下端に係合突起３２が凸設され、上部ケース５が上部カバー３の外に覆設された後、係合突起３２は、上部ケース５の内壁に係止されることにより、上部カバー３と上部ケース５とを固定する。上部カバー３上の連通孔の、上部ケース５内での深さを制限し、連通孔が上部ケース５の噴霧口５１から外に突出することを回避するために、上部カバー３の上端にストッパ３３がさらに設置され、ストッパ３３は、上部ケース５の内壁に係止され、上部ケース５が上部カバー３の外側においてさらに下に嵌着することを制限することにより、連通孔が噴霧口５１から外に突出することを回避し、霧化装置の外観を向上させる。本実施例において、係合突起３２及びストッパ３３は、数量がいずれも複数であり、かつ上部カバー３の周方向に沿って分布し、上部カバー３及び上部ケース５が受ける力の均一性を向上させることに役立ち、上部カバー３と上部ケース５との間の固定が強固であり、がたつくことがない。
【００４７】
霧化装置内の気圧バランスを保つために、図２、図７及び図８に示すように、上部カバー３及びフランジ２２の外部と上部ケース５との間に第１の気流通路が形成され、下部ケース１及びフランジ２２の内側により第２の気流通路が形成され、フランジ２２には第２の気流通路と第１の気流通路とを連通させる第１の通気口２２１が設置され、上部カバー３には第１の気流通路とキャビティとを連通させる第２の通気口３５が設置され、下部ケース１には第１の気流通路と外部空気とを連通させる第３の通気口が設置される。霧化装置が動作する場合、外部空気は、第３の通気口から第２の気流通路内に入り、第１の通気口２２１を通って第１の気流通路内に入り、その後気体は第２の通気口３５を通ってキャビティ内に入り、霧化シートにより霧化された霧化気体は貫通孔及び噴霧口５１を経て放出される。
【実施例２】
【００４８】
本実施例は霧化装置を提供し、実施例１における霧化装置の構造とほぼ同じであるが、図１０に示すように、キャビティ内に仕切りフード３６が設置されている点で実施例１と異なり、仕切りフード３６は、精油カップ４の上部に覆設されて、精油カップ４の上部の開口とキャビティとの連通を保証することにより、精油カップ４の上端の精油の受ける気圧とキャビティ内の液体の受ける気圧が同じで持続的な精油供給が実現できるようにする。仕切りフード３６により精油とミストとを仕切る効果を高めるために、仕切りフード３６の下端の位置する平面は精油カップ４の上端の位置する平面より低く、精油カップ４の上端は完全に仕切りフード３６内に位置し、仕切りフード３６のキャビティのサイズは精油カップ４の断面のサイズよりわずかに大きく、それにより精油カップ４の上部の開口とキャビティとの連通が保証される。
【００４９】
仕切りフード３６はキャビティの壁と一体成形することができ、例えば仕切りフード３６は上部カバー３の内壁から下方に延びて形成された、下端が開口した筒状構造であっても、又は下端が開口し槽体２或いは上部カバー３と一体成形されるフードであってもよい。仕切りフード３６は、別体に設置され、係止又は螺着などの方式により槽体２又は上部カバー３に固定されるフードであってもよい。
【００５０】
霧化装置の内部構造を簡略化するために、本実施例において、仕切りフード３６は、キャビティの壁と一体成形されるものとする。精油カップ４の上部に仕切りフード３６を覆設することにより、霧化気体中の液体が精油カップ４内に落ちることを回避し、精油カップ４内の精油の濃度が変化しないよう保証し、水油バランスの原理を利用して香りを継続的かつ安定的に放出することができる霧化装置である。
【００５１】
以上の内容は本発明の好ましい実施例のみであり、当業者にとって、本発明の思想に基づいて具体的な実施形態及び応用範囲を変更する場合があり、本明細書の内容は本発明を限定するものであると理解すべきではない。
【符号の説明】
【００５２】
１  下部ケース
２  槽体
２１  貯液チャンバ
２２  フランジ
２２１  第１の通気口
２３  固定ベース
２３１  第１の係止ブロック
２４  貫通孔
２５  水位ボス
３  上部カバー
３１  仕切り部
３２  係合突起
３３  ストッパ
３４  ノイズ低減ブラケット
３５  第２の通気口
３６  仕切りフード
４  精油カップ
５  上部ケース
５１  噴霧口
６  消音機構
６１  霧化気体孔
６２  スリット
７  電気部品
【図１】
2020022949.tif 000003
【図２】
2020022949.tif 000004
【図３】
2020022949.tif 000005
【図４】
2020022949.tif 000006
【図５】
2020022949.tif 000007
【図６】
2020022949.tif 000008
【図７】
2020022949.tif 000009
【図８】
2020022949.tif 000010
【図９】
2020022949.tif 000011
【図１０】
2020022949.tif 000012
【手続補正書】
【提出日】令和1年9月27日(2019.9.27)
【手続補正１】
【補正対象書類名】特許請求の範囲
【補正対象項目名】全文
【補正方法】変更
【補正の内容】
【特許請求の範囲】
【請求項１】
貯液チャンバ（２１）を含むキャビティが設置された本体と、
前記貯液チャンバ（２１）の上方に設置され、前記本体の噴霧口（５１）に連通する霧化気体通路を前記キャビティの上壁と共に形成する仕切り部（３１）と、
精油を収容するために用いられ、前記貯液チャンバ（２１）内に設置され、前記仕切り部（３１）が前記貯液チャンバ（２１）に対して投影された領域の外側に位置する精油カップ（４）であって、前記精油カップ（４）の底部が前記貯液チャンバ（２１）に連通する、前記精油カップ（４）と、を含むことを特徴とする霧化装置。
【請求項２】
前記仕切り部（３１）は、前記キャビティの上壁から下方に延びて形成されたバッフル板であって、前記バッフル板の下側で開口し前記バッフル板の周囲が閉じられる前記バッフル板とされ、前記バッフル板の底端が位置する平面は、前記精油カップ（４）の上端が位置する平面の下側に位置することを特徴とする請求項１に記載の霧化装置。
【請求項３】
前記精油カップ（４）は、精油カップ本体とラッパ状の精油注入口とを含み、前記精油カップ本体は、前記ラッパ状の精油注入口の断面積の小さい方の端部に接続されることを特徴とする請求項１又は２に記載の霧化装置。
【請求項４】
前記精油カップ本体の断面積は一定であることを特徴とする請求項３に記載の霧化装置。
【請求項５】
前記精油カップ（４）は、前記本体と一体成形されるか、又は、前記本体と別体に設置されることを特徴とする請求項１〜４のいずれか１項に記載の霧化装置。
【請求項６】
前記本体は、
下部ケース（１）と、
槽体（２）であって、前記貯液チャンバ（２１）が前記槽体（２）の側壁で囲まれた内部空間であり、前記槽体（２）が前記下部ケース（１）に設置され、前記精油カップ（４）を固定するための固定装置が前記槽体（２）の中に設置され、前記固定装置が、前記仕切り部（３１）が槽体（２）に対して投影された領域の外側に位置する、前記槽体と、
前記槽体（２）に取り外し可能に接続され、前記槽体（２）との間に前記キャビティが形成される上部カバー（３）と、を含むことを特徴とする請求項１〜５のいずれか１項に記載の霧化装置。
【請求項７】
前記固定装置は、前記槽体（２）の底板に設置されて、前記精油カップ（４）の形状に適合する形状を有する固定ベース（２３）であり、前記固定ベース（２３）の内側壁には、前記精油カップ（４）の底端と前記槽体（２）の底板とが所定距離で離間しているように保持するための第１の係止ブロック（２３１）が設置され、前記固定ベース（２３）は、前記精油カップ（４）の底部が前記槽体（２）に連通するよう維持され、或いは、
前記固定装置は、前記槽体（２）の側壁に設置されて、前記精油カップ（４）の形状に適合するジョーを有する固定クランプであることを特徴とする請求項６に記載の霧化装置。
【請求項８】
前記槽体（２）の底板の外側面に複数の第１の係合部が設置され、前記下部ケース（１）内の前記第１の係合部に対応する位置に前記第１の係合部の構造に適合する第２の係合部がそれぞれ設置され、前記第１の係合部と前記第２の係合部とを係合させることにより前記槽体（２）が前記下部ケース（１）に固定されることを特徴とする請求項６又は７に記載の霧化装置。
【請求項９】
前記槽体（２）の底板に貫通孔（２４）が設置され、前記貫通孔（２４）は、前記噴霧口（５１）が前記槽体（２）の底板に対して投影された領域内に位置し、前記貫通孔（２４）内に霧化シートが設置され、
前記霧化装置はさらに、前記霧化シートの中心と同軸の上端に設置されて前記仕切り部（３１）の内側に位置する消音機構（６）を含むことを特徴とする請求項６〜８のいずれか１項に記載の霧化装置。
【請求項１０】
貯液チャンバ（２１）を含むキャビティが設置された本体と、
精油を収容するために用いられ、前記貯液チャンバ（２１）内に設置され、底部が前記貯液チャンバ（２１）に連通する精油カップ（４）と、
前記精油カップ（４）の上部の開口が前記キャビティに連通することを保持するように前記精油カップ（４）の上部を覆っている仕切りフード（３６）であって、前記仕切りフード（３６）の下端の位置する平面が前記精油カップ（４）の上端の位置する平面よりも低い仕切りフード（３６）と、を含むことを特徴とする霧化装置。
【外国語明細書】
2020022949000001.pdf